(57)【要約】【課題】浄水を生成するときの経路と濾材を洗浄するときの経路とを切り換える複数の弁の開閉を同時に操作することができるように構成され、比較的安価であり且つ小型化が可能である浄水器を提供する。【解決手段】浄水器は、フィルタ槽と、少なくともフィルタ槽に液体を流通させる流路と、流路のうちのフィルタ槽にて液体が濾過される経路とフィルタ槽の内部を洗浄する他の経路とを切り換えるように流路での液体の流れを開閉する弁機構６０，７０，８０と、使用者によって操作され、弁機構６０，７０，８０を作動させる切換レバー６とを備えている。弁機構６０，７０，８０は切換レバー６の作動に連動する。【選択図】図４
2012176352.tif 000002
【特許請求の範囲】
【請求項１】
フィルタ槽と、
少なくとも前記フィルタ槽に液体を流通させる流路と、
前記流路のうちの前記フィルタ槽にて液体が濾過される経路と前記フィルタ槽の内部を洗浄する他の経路とを切り換えるように開閉される複数の弁機構と、
当該浄水器の使用者によって操作され、前記複数の弁機構を作動させる切換部と、を備え、
前記各弁機構は前記切換部の作動に連動する、浄水器。
【請求項２】
前記フィルタ槽を洗浄する際に、前記流路のうちの前記他の経路を流れる液体を濾過する他のフィルタ槽をさらに備えた、
請求項１に記載の浄水器。
【請求項３】
前記複数の弁機構は一箇所に集められている、
請求項１または請求項２に記載の浄水器。
【請求項４】
前記切換部は、当該浄水器の使用者によって操作される操作部と、前記操作部とともに回転する回転軸と、を有し、
前記各弁機構は、前記流路から前記各弁機構に液体を流入させる流入口と、前記各弁機構から前記流路に液体を流出させる流出口と、前記回転軸に固定されたカムと、前記回転軸の一部と前記カムの一部とを囲むカムガイドと、前記カムガイドに固定され且つ前記流入口もしくは前記流出口を開閉する閉塞部と、を有し、
前記操作部の操作によって前記回転軸および前記カムの回転に連動して前記カムガイドおよび前記閉塞部が移動することにより、前記閉塞部が前記流入口もしくは前記流出口を開閉する、
請求項１から請求項３までのいずれか１項に記載の浄水器。
【請求項５】
前記複数の弁機構のうちの少なくとも一つは、一つの前記流入口と複数の前記流出口とを有している、
請求項４に記載の浄水器。
【発明の詳細な説明】
【技術分野】
【０００１】
この発明は、濾材を洗浄する機能を有する浄水器に関する。
【背景技術】
【０００２】
特開平０８−８４９８９号公報（特許文献１）に記載されているように、浄水器等の液体浄化装置において、複数のフィルタ槽が備えられたものが知られている。複数のフィルタ槽には、中空糸膜型のフィルタがそれぞれ収容されている。フィルタ槽に流入する汚れた原水は、これらのフィルタを通過することによって浄化される。
【０００３】
特開平０８−８４９８９号公報（特許文献１）に係る浄水器では、フィルタが洗浄されるときは、少なくとも一つのフィルタ槽のフィルタを通過することによって浄化された浄水を他のフィルタ槽のフィルタに通過させることにより、他のフィルタ槽のフィルタを洗浄している。
【０００４】
また、特開平０８−８４９８９号公報（特許文献１）に係る浄水器は、一のフィルタ槽を通過させる経路と、他のフィルタ槽を通過させる経路とを切り換える複数の電磁弁を備えている。すなわち、これら電磁弁の開閉は、制御装置等によって電子的または電磁的に制御される。
【０００５】
一のフィルタ槽を通過させる経路は、例えば液体浄化装置において浄水を生成するときのものである。また、他のフィルタ槽を通過させる経路は、例えば液体浄化装置において一のフィルタ槽のフィルタを逆洗浄するときのものである。
【先行技術文献】
【特許文献】
【０００６】
【特許文献１】特開平０８−８４９８９号公報
【発明の概要】
【発明が解決しようとする課題】
【０００７】
制御装置等によって電子的または電磁的に制御されるような電磁弁は、手動によって切り換えられる弁に比べてコストが高く、また電磁弁を制御する制御装置にも比較的高いコストが掛かってしまう。また、電磁弁が多数用いられることにより、各電磁弁と制御装置とを接続する電装部品が占める体積によって液体浄化装置の小型化が困難である。
【０００８】
そのため、浄水を生成するときの経路と濾材を洗浄するときの経路とを切り換える複数の弁の開閉を同時に操作することができるように構成された浄水器のうち、比較的安価であり且つ小型化が可能であるものが望まれていた。
【０００９】
そこで、この発明の目的は、浄水を生成するときの経路と濾材を洗浄するときの経路とを切り換える複数の弁の開閉を同時に操作することができるように構成され、比較的安価であり且つ小型化が可能な浄水器を提供することである。
【課題を解決するための手段】
【００１０】
この発明は、フィルタ槽と、流路と、複数の弁機構と、切換部とを備えた浄水器である。流路は、少なくともフィルタ槽に液体を流通させる。複数の弁機構は、流路のうちのフィルタ槽にて液体が濾過される経路とフィルタ槽の内部を洗浄する他の経路とを切り換えるように開閉される。切換部は、当該浄水器の使用者によって操作され、複数の弁機構を作動させる。各弁機構は、切換部の作動に連動する。
【００１１】
この発明によれば、複数の弁機構が流路の液体の流れを開閉することにより、流路のうちのフィルタ槽にて液体が濾過される経路と、フィルタ槽の内部を洗浄する他の経路とが切り換えられる。また、各弁機構は、切換部の作動に連動する。切換部は、使用者によって操作される。つまり、各弁機構の開閉が使用者によって操作される。このように、この発明に従った浄水器では、多数の電磁弁が用いられることがない。さらに、電磁弁を制御するための制御装置が不要である。そのため、この発明に従った浄水器に係るコストを抑えることができる。また、当該浄水器の小型化が可能である。したがって、この発明によれば、浄水を生成するときの経路と濾材を洗浄するときの経路とを切り換える複数の弁の開閉を同時に操作することができるように構成され、比較的安価であり且つ小型化が可能な浄水器を提供することができる。また、当該浄水器が電気を使用しないものである場合には、電源仕様に左右されない浄水器を実現することができる。
【００１２】
この発明に従った浄水器は、他のフィルタ槽をさらに備えていることが好ましい。他のフィルタ槽は、フィルタ槽を洗浄する際に、他の経路を流れる液体を濾過するものであることが好ましい。
【００１３】
この構成によれば、他のフィルタ槽にて濾過された液体を用いてフィルタ槽を洗浄することができる。そのため、フィルタ槽の内部をより清潔に洗浄することが可能である。
【００１４】
この発明に従った浄水器において、複数の弁機構は一箇所に集められていることが好ましい。
【００１５】
この構成によれば、複数の弁機構が一箇所に集められる、つまり、一箇所にまとめられるように配置されていることにより、複数の弁機構が占める体積を小さくさせることが可能である。また、切換部と各弁機構との連結が簡略化される。そのため、当該浄水器の小型化がさらに可能である。
【００１６】
この発明に従った浄水器では、切換部は操作部と回転軸とを有していることが好ましい。操作部は、当該浄水器の使用者によって操作されるものである。回転軸は、操作部とともに回転するものであることが好ましい。各弁機構は、流路から各弁機構に液体を流入させる流入口と、各弁機構から流路に液体を流出させる流出口とを有していることが好ましい。また、各弁機構は、回転軸に固定されたカムと、回転軸の一部とカムの一部とを囲むカムガイドと、カムガイドに固定され且つ流入口もしくは流出口を開閉する閉塞部とを有していることが好ましい。さらに、この発明に従った浄水器では、操作部の操作によって回転軸およびカムの回転に連動してカムガイドおよび閉塞部が移動することにより、閉塞部が流入口もしくは流出口を開閉することが好ましい。
【００１７】
この構成によれば、回転軸とカムとが互いに固定されている。カムガイドと閉塞部とが互いに固定されている。使用者によって操作部が操作されることにより、回転軸およびカムは、操作部とともに回転する。さらに、回転軸およびカムの回転に連動してカムガイドおよび閉塞部が移動することにより、閉塞部が流入口もしくは流出口を開閉する。このように、この発明に従った浄水器では、多数の電磁弁が用いられることなく、使用者による操作部の操作によってカムが作動する。さらに、カムの作動によって各弁機構が作動する。したがって、この発明に従った浄水器に係るコストを抑えることができ、且つ、当該浄水器の小型化が可能である。
【００１８】
この発明に従った浄水器において、複数の弁機構のうちの少なくとも一つは、一つの流入口と複数の流出口とを有していることが好ましい。
【００１９】
この構成によれば、少なくとも一つの弁機構において、一つの流入口に対して複数の流出口が配置されている。この場合には、当該浄水器が流出口の数の弁機構を有している場合に比べ、弁機構の全体に係る体積を小さくすることができる。そのため、当該浄水器の小型化がさらに可能である。
【発明の効果】
【００２０】
以上のように、この発明によれば、浄水を生成するときの経路と濾材を洗浄するときの経路とを切り換える複数の弁の開閉を同時に操作することができるように構成され、比較的安価であり且つ小型化が可能な浄水器を提供することができる。
【図面の簡単な説明】
【００２１】
【図１】この発明の第１実施形態に係る浄水器が原水を浄化するときの水の流れを示す系統図である。
【図２】この発明の第１実施形態に係る浄水器が一のフィルタ槽の濾材を洗浄するときの水の流れを示す系統図である。
【図３】この発明に係る浄水器の分岐水栓の概略図である。
【図４】この発明に係る浄水器の複数の弁機構の断面図である。
【図５】図４のＶ−Ｖ線の拡大断面図である。
【図６】この発明に係る浄水器の切換レバーを概略的に示した正面図である。
【図７】この発明に係る浄水器の弁機構の概略図である。
【図８】この発明の第１実施形態に係る浄水器が浄水を生成するときの各弁機構の作動の状態を概略的に示す図であって、（Ａ）は一の弁機構の一部を示す図であり、（Ｂ）は一の弁機構の他の一部を示す図であり、（Ｃ）は別の弁機構の一部を示す図であり、（Ｄ）はまた別の弁機構の一部を示す図である。
【図９】この発明の第１実施形態に係る浄水器がフィルタ槽の濾材を洗浄するときの各弁機構の作動の状態を概略的に示す図であって、（Ａ）は一の弁機構の一部を示す図であり、（Ｂ）は一の弁機構の他の一部を示す図であり、（Ｃ）は別の弁機構の一部を示す図であり、（Ｄ）はまた別の弁機構の一部を示す図である。
【図１０】この発明の第２実施形態に係る浄水器が原水を浄化するときの水の流れを示す系統図である。
【図１１】この発明の第３実施形態に係る浄水器が原水を浄化するときの水の流れを示す系統図である。
【図１２】この発明の第４実施形態に係る浄水器が原水を浄化するときの水の流れを示す系統図である。
【発明を実施するための形態】
【００２２】
以下、この発明の実施の形態を図面に基づいて説明する。
【００２３】
（第１実施形態）
図１に示すように、浄水器１００は、流路１３０として、流路１３１，１３２，１３３，１３４，１３５，１３６，１３７，１３８，１３９を備えている。また、浄水器１００は、活性炭フィルタ槽３と、一のフィルタ槽としてのフィルタ槽４と、他のフィルタ槽としてのフィルタ槽５とを備えている。各流路１３１，１３２，１３３，１３４，１３５，１３６，１３７，１３８，１３９は、例えばホース等の管状部材で形成されている。
【００２４】
活性炭フィルタ槽３は、原水に含まれる塩素、臭気、またはトリハロメタン等を除去する。活性炭フィルタ槽３には、例えば、活性炭等の多孔質の物質が利用されている。一方、フィルタ槽４に収容される濾材４３とフィルタ槽５に収容される濾材５３は、細菌またはウィルス等の微粒子を除去する。濾材４３と濾材５３には、除去する対象物によって精密濾過膜（ＭＦ膜）、限外濾過膜（ＵＦ膜）、ナノ濾過膜（ＮＦ膜）、または逆浸透膜（ＲＯ膜）等が利用されている。
【００２５】
流路１３０は、液体としての水を流通させるものである。流路１３０のうち、流路１３１は、分岐水栓２と活性炭フィルタ槽３とを接続している。流路１３１の一端は分岐水栓２に接続され、他端は活性炭フィルタ槽３の流入ノズル３１に接続されている。流路１３３の一端が活性炭フィルタ槽３の流出ノズル３２に接続され、他端が弁機構６０に接続されている。また、弁機構６０には、流路１３４の一端と流路１３５の一端とが接続されている。
【００２６】
流路１３５の他端は、フィルタ槽４のノズル４１に接続されている。流路１３５には、逆止弁９１が配置されている。一方、流路１３４の他端は、フィルタ槽５のノズル５１に接続されている。
【００２７】
また、フィルタ槽４のノズル４１には流路１３６の一端が接続されている。流路１３６の他端と流路１３７の一端とが弁機構７０に接続されている。フィルタ槽４とフィルタ槽５との間を流れる水は、流路１３８を流通する。流路１３８の一端は、フィルタ槽５のノズル５２に接続されている。流路１３８の他端はノズル４２に接続されている。流路１３８には、逆止弁９２が配置されている。
【００２８】
また、フィルタ槽４のノズル４２には、流路１３９の一端が接続されている。流路１３９の他端は弁機構８０に接続されている。また、弁機構８０には流路１３２の一端が接続されている。流路１３２の他端は分岐水栓２に接続されている。
【００２９】
浄水器１００の使用者が水道蛇口１を開放することにより、原水としての水道水が分岐水栓２を介して浄水器１００に供給される。ただし、原水は、水道水に限定されず、井戸水、または河川水等であってもよい。
【００３０】
水道蛇口１が開かれることによって分岐水栓２に流入する水は、分岐水栓２の図示しないレバーが操作されることにより、水道水として分岐水栓２から流出されたり、流路１３１を通って浄水器１００に流入されたりする。浄水器１００において浄水が生成される場合は、水が分岐水栓２から流路１３１を通って流入ノズル３１を介して活性炭フィルタ槽３に流入する。活性炭フィルタ槽３の内部を流通した水は、流出ノズル３２を介して流路１３３に流出する。流路１３３を流通する水は、弁機構６０によって流れの方向が切り換えられ、流路１３５に向かって流れ始める。流路１３５を流れる水は、ノズル４１を介してフィルタ槽４の内部に流入する。浄水器１００において浄水が生成される場合は、弁機構７０が流路１３６と流路１３７との間を閉塞し、且つ、弁機構８０が流路１３９と流路１３２との間を開放している。
【００３１】
フィルタ槽４の内部を流通する水は、濾材４３によって濾過され、浄水が生成される。浄水は、流路１３９および弁機構８０を介して流路１３２を通って浄水器１００の外部に供給される。
【００３２】
浄水器１００において浄水が生成される場合は、弁機構６０が流路１３３と流路１３５との間を開放し且つ流路１３３と流路１３４との間を閉塞する。また、浄水器１００において浄水が生成される場合は、弁機構７０は、フィルタ槽４の内部と浄水器１００の外部とを結ぶ流路１３６と流路１３７との間を閉塞する。さらに、この場合は、弁機構８０は、フィルタ槽４の内部と浄水器１００の外部とを結ぶ流路１３９と流路１３２との間を開放する。
【００３３】
一方、浄水器１００においてフィルタ槽４が洗浄される場合は、弁機構７０が流路１３６と流路１３７との間を開放し、且つ、弁機構８０が流路１３９と流路１３２との間を閉塞する。図２に示すように、浄水器１００においてフィルタ槽４が洗浄される場合は、流路１３３を流通する水が、弁機構６０によって流れの方向が切り換えられ、流路１３４に向かって流れる。流路１３４を流れる水は、ノズル５１を介してフィルタ槽５の内部に流入する。フィルタ槽５の内部を流通する水は、濾材５３によって濾過され、浄水が生成される。濾材５３によって濾過された水は、流路１３８を通ってノズル４２を介してフィルタ槽４の内部に流入する。
【００３４】
フィルタ槽４の濾材４３が洗浄される際には、フィルタ槽４にて浄水が生成されるときと逆方向にフィルタ槽４の内部を水が流通する。濾材４３の逆洗浄に用いられた水は、ノズル４１から流路１３６に流出し、さらに流路１３７を通って浄水器１００の外部に排出される。
【００３５】
浄水器１００においてフィルタ槽４の濾材４３が洗浄される場合は、弁機構６０が流路１３３と流路１３４との間を開放し且つ流路１３３と流路１３５との間を閉塞する。また、浄水器１００において濾材４３が洗浄される場合は、弁機構７０は、フィルタ槽４の内部と浄水器１００の外部とを結ぶ流路１３６と流路１３７との間を開放する。さらに、この場合は、弁機構８０は、フィルタ槽４の内部と浄水器１００の外部とを結ぶ流路１３９と流路１３２との間を閉塞する。このようにして、弁機構６０と弁機構７０と弁機構８０とは、流路１３０のうちのフィルタ槽４にて水が濾過される経路と、フィルタ槽４の濾材４３を洗浄する他の経路とを切り換える。
【００３６】
図３に示すように、分岐水栓２は、水道水が流れる方向を、分岐水栓２から浄水器１００に向かって流れる方向と、分岐水栓２から分岐水栓２の外方に向かって流れる方向とに切り換えることができる。また、分岐水栓２から浄水器１００に向かって水道水が流れるときには、浄水器１００から分岐水栓２に向かって浄水が流れてくる。浄水器１００から分岐水栓２に向かって流れる浄水は、分岐水栓２から分岐水栓２の外方に向かって流れ、使用者に浄水が供給される。
【００３７】
図４に示すように、浄水器１００では、弁機構６０と弁機構７０と弁機構８０とがケース１１０の内部にて一箇所に集められている。流路１３０のうちの少なくとも流路１３１の一部と流路１３２の一部とを除いた部分と、弁機構６０と弁機構７０と弁機構８０とは、ケース１１０に収容されている。ケース１１０は、浄水器１００の外郭の一部を形成している。浄水器１００は、操作部としての切換レバー６を備えている。切換レバー６は、浄水器１００の使用者によって操作される。切換レバー６は、使用者が切換レバー６を操作することができるように、ケース１１０の外方に配置されている。
【００３８】
切換レバー６は、回転軸１０に連結されている。回転軸１０は、回転軸線Ｃを中心に切換レバー６とともに回転する。切換レバー６は操作部の一例である。また、浄水器１００において、回転軸１０と切換レバー６とは切換部の一例である。使用者によって切換レバー６が操作されることにより、弁機構６０と弁機構７０と弁機構８０とが作動する。なお、回転軸１０は、弁機構６０と弁機構７０と弁機構８０とを貫通している。つまり、回転軸１０の長さは、弁機構６０と弁機構７０と弁機構８０との幅（図４の左右方向の大きさ）よりも長い。
【００３９】
以下では、切換レバー６の作動に連動する弁機構６０，７０，８０の構成について説明する。図５は、弁機構７０の断面を示している。弁機構７０は、流路１３６から弁機構７０に水を流入させる流入口１７１と、弁機構７０から流路１３７に水を流出させる流出口１７２とを有している。弁機構７０の流入ノズル７５の内部には、流路１３６の一部が形成されている。弁機構７０の流出ノズル７６の内部には、流路１３７の一部が形成されている。
【００４０】
弁機構７０は、カム７７と、カムガイド７１と、脚部７８とを有している。カム７７は回転軸１０の外表面１１に固定されている。カム７７の一部には、カム７７から外方に突出する突出部７２が形成されている。カムガイド７１は、図５の左右方向と上下方向の四方から回転軸１０の一部とカム７７の一部とを囲んでいる。カム７７に形成された突出部７２は、カムガイド７１に囲まれている。脚部７８は、カムガイド７１に固定され且つカムガイド７１から流出口１７２に向かって延びている。カムガイド７１と脚部７８との付根には、環状部材７４が取り付けられている。環状部材７４は、ゴム等の弾性材料で形成されている。浄水器１００の弁機構７０においては、少なくとも脚部７８と環状部材７４とによって閉塞部が構成されている。カムガイド７１は、閉塞部が流出口１７２を閉口するように、バネ７３によって図５の上方から下方に向かって付勢されている。
【００４１】
図４に示すように、弁機構８０は、流路１３９から弁機構８０に水を流入させる流入口１８１と、弁機構８０から流路１３２に水を流出させる流出口１８２とを有している。流路１３９の一部が弁機構８０の流入ノズル８５の内部に形成されている。流路１３２の一部が弁機構８０の流出ノズル８６の内部に形成されている。弁機構８０は、カム８７と、カムガイド８１と、脚部８８とを有している。カムガイド８１と脚部８８との付根には、弾性材料で形成された環状部材８４が取り付けられている。カム８７の一部には、カム８７から外方に突出する突出部８２が形成されている。突出部８２はカムガイド８１に囲まれている。カムガイド８１は、脚部８８の環状部材８４が流出口１８２を閉口するように、バネ８３によって図４の上方から下方に向かって付勢されている。
【００４２】
弁機構６０は、流路１３３から弁機構６０に水を流入させる流入口１６１と、弁機構６０から流路１３４に水を流出させる流出口１６２と、弁機構６０から流路１３５に水を流出させる流出口１６３とを有している。流路１３３の一部は弁機構６０の流入ノズル６５の内部に形成されている。流路１３４の一部は弁機構６０の流出ノズル６６の内部に形成されている。流路１３５の一部は弁機構６０の流出ノズル６９の内部に形成されている。
【００４３】
弁機構６０は、カム６７と、カムガイド６１１と、脚部６８１とを有している。カムガイド６１１と脚部６８１との付根には、弾性材料で形成された環状部材６４が取り付けられている。カムガイド６１１は、脚部６８１の環状部材６４が流出口１６２を閉口するように、バネ６３１によって図４の上方から下方に向かって付勢されている。カム６７の一部にはカム６７から外方に突出する突出部６２１が形成されている。突出部６２１はカムガイド６１１に囲まれている。また、突出部６２１よりも図４の左方において、カム６７の他の一部にはカム６７から外方に突出する突出部６２２が形成されている。弁機構６０は、さらにカムガイド６１２と、脚部６８２とを有している。突出部６２２はカムガイド６１２に囲まれている。カムガイド６１２と脚部６８２との付根には、弾性材料で形成された環状部材６８が取り付けられている。カムガイド６１２は、脚部６８２の環状部材６８が流出口１６３を閉口するように、バネ６３２によって図４の上方から下方に向かって付勢されている。
【００４４】
図６に示す切換レバー６は、図４の左方から切換レバー６を見たときの概略図である。図６に示す切換レバー６の正面視において、使用者が切換レバー６を時計回りに回転させた位置（二点鎖線で示す位置）は、浄水器１００が浄水を生成することができる位置（以下では浄水位置という）である。一方、使用者が切換レバー６を反時計回りに回転させた位置（実線で示す位置）は、浄水器１００がフィルタ槽４（図１参照）の濾材４３を洗浄することができる位置（以下では洗浄位置という）である。
【００４５】
切換レバー６が浄水位置と洗浄位置との間で回転されるときには、回転軸１０（図５参照）が回転軸線Ｃを中心に略９０度の間隔で回転する。図７は、弁機構８０を概略的に示す図である。図７に示す弁機構８０は、脚部８８の環状部材８４が流出口１８２を閉口している状態である。このとき、切換レバー６（図６参照）は、洗浄位置を指している。一方、切換レバー６が浄水位置を指している場合には、後述するように、弁機構８０は脚部８８の環状部材８４が流出口１８２を開口した状態である。
【００４６】
図８は、浄水器１００が浄水を生成するときの弁機構６０，７０，８０の作動の状態を概略的に示す図である。図８（Ａ）は弁機構６０の一部を示す図であり、図８（Ｂ）は弁機構６０の他の一部を示す図であり、図８（Ｃ）は弁機構７０の一部を示す図であり、図８（Ｄ）は弁機構８０の一部を示す図である。上述のように、浄水器１００が浄水を生成するときには、切換レバー６（図６参照）は、浄水位置を指している。図８（Ａ）に示すように、弁機構６０は、脚部６８１の環状部材６４が流出口１６２を閉口した状態である。また、図８（Ｂ）に示すように、弁機構６０は、脚部６８２の環状部材６８が流出口１６３を開口した状態である。これらのように、切換レバー６が浄水位置を指している場合は、弁機構６０が流路１３３（図１参照）と流路１３４との間を閉塞し且つ流路１３３と流路１３５との間を開放している。
【００４７】
図８（Ｃ）に示すように、弁機構７０は、脚部７８の環状部材７４が流出口１７２を閉口した状態である。また、図８（Ｄ）に示すように、弁機構８０は、脚部８８の環状部材８４が流出口１８２を開口した状態である。このように、切換レバー６が浄水位置を指している場合は、弁機構７０が流路１３７の水の流れを閉塞し、また弁機構８０が流路１３２の水の流れを開放する。
【００４８】
図９は、浄水器１００がフィルタ槽４の濾材４３を洗浄するときの各弁機構の作動の状態を概略的に示す図である。図９（Ａ）は弁機構６０の一部を示す図であり、図９（Ｂ）は弁機構６０の他の一部を示す図であり、図９（Ｃ）は弁機構７０の一部を示す図であり、図９（Ｄ）は弁機構８０の一部を示す図である。上述のように、浄水器１００が濾材４３を洗浄するときには、切換レバー６（図６参照）は、洗浄位置を指している。図９（Ａ）に示すように、弁機構６０は、脚部６８１の環状部材６４が流出口１６２を開口した状態である。
【００４９】
図６に示すように使用者によって切換レバー６が浄水位置から洗浄位置に反時計回りに回転させられることにより、図８（Ａ）に示す回転軸１０および突出部６２１がカムガイド６１１の内部を略９０度回転する。これにより、突出部６２１は、図９（Ａ）に示すようにカムガイド６１１の内面天井に接触する位置に配置される。切換レバー６が浄水位置から洗浄位置に反時計回りに回転する間に、突出部６２１は、カムガイド６１１の内面天井に接触しながらカムガイド６１１を上方に移動させる。このように、カム６７（図４参照）に対する従動子としてのカムガイド６１１が上方に移動することにより、カムガイド６１１に固定された脚部６８１と、脚部６８１の環状部材６４とが上方に移動する。これにより、流出口１６２が開口され、流路１３４の水の流れが開放される。
【００５０】
また、切換レバー６が浄水位置から洗浄位置に反時計回りに回転する間に、図８（Ｂ）に示すようにカムガイド６１２の内面天井に接触していた突出部６２２は、図９（Ｂ）に示すようにカムガイド６１２の内面天井との接触を解消する。そのため、カムガイド６１２が上方から下方に向かって移動する。このように、従動子としてのカムガイド６１２が下方に移動することにより、カムガイド６１２に固定された脚部６８２と、脚部６８２の環状部材６８とが下方に移動する。これにより、流出口１６３が閉口され、流路１３５の水の流れが閉塞される。
【００５１】
同様に、切換レバー６が浄水位置から洗浄位置に反時計回りに回転する間に、図８（Ｃ）に示す回転軸１０および突出部７２がカムガイド７１の内部を略９０度回転し、図９（Ｃ）に示すように突出部７２がカムガイド７１の内面天井に接触する位置に配置される。また、このときに、カムガイド７１と脚部７８と環状部材７４とが上方に移動する。これにより、流出口１７２が開口され、流路１３７の水の流れが開放される。
【００５２】
また同様に、切換レバー６が浄水位置から洗浄位置に反時計回りに回転する間に、図８（Ｄ）に示すようにカムガイド８１の内面天井に接触していた突出部８２は、図９（Ｄ）に示すようにカムガイド８１の内面天井との接触を解消する。この間に、カムガイド８１と脚部８８と環状部材８４とが下方に移動する。これにより、流出口１８２が閉口され、流路１３２の水の流れが閉塞される。
【００５３】
上述のように、切換レバー６が洗浄位置を指している場合は、図４に示すように、弁機構６０が流路１３３と流路１３４との間を開放し且つ流路１３３と流路１３５との間を閉塞している。また、切換レバー６が洗浄位置を指している場合は、弁機構７０が流路１３７を開放し、また弁機構８０が流路１３２を閉塞する。
【００５４】
一方、切換レバー６が洗浄位置から浄水位置に図６の時計回りに回転する間に、回転軸１０および突出部６２１，６２２，７２，８２がそれぞれカムガイド６１１，６１２，７１，８１の内部を略９０度回転する。この間に、例えば弁機構８０において、図８（Ｄ）に示すように、突出部８２は、カムガイド８１の内面天井に接触する。この間に、突出部８２がカムガイド８１を持ちあげることによって、カムガイド８１と脚部８８と環状部材８４とが上方に移動する。これにより、流出口１８２が開口され、流路１３２の水の流れが開放される。このようにして、切換レバー６の操作によって、例えば回転軸１０およびカム８７（図４参照）の回転に連動してカムガイド８１と脚部８８と環状部材８４とが移動することにより、脚部８８と環状部材８４とが流出口１８２を開閉する。
【００５５】
以上のように、浄水器１００は、フィルタ槽４と、フィルタ槽５と、流路１３０と、弁機構６０，７０，８０と、切換レバー６と、回転軸１０とを備えている。フィルタ槽５は、フィルタ槽４を洗浄する際に水を濾過する。流路１３０は、少なくともフィルタ槽４とフィルタ槽５との間に水を流通させる。弁機構６０は、流路１３０のうち、フィルタ槽４にて水が濾過される経路とフィルタ槽４の濾材４３を洗浄する他の経路とを切り換えるように、流路１３３と流路１３４との間と、流路１３３と流路１３５との間とを開閉する。
【００５６】
弁機構７０は、流路１３０のうち、フィルタ槽４にて水が濾過される経路と、フィルタ槽４の濾材４３を洗浄する他の経路とを切り換えるように、流路１３６と流路１３７との間を開閉する。弁機構８０は、流路１３０のうち、フィルタ槽４にて水が濾過される経路と、フィルタ槽４の濾材４３を洗浄する他の経路とを切り換えるように、流路１３９と流路１３２との間を開閉する。切換レバー６は、使用者によって操作され、回転軸１０を介して弁機構６０と弁機構７０と弁機構８０とを作動させる。弁機構６０と弁機構７０と弁機構８０とは、切換レバー６と回転軸１０との作動に連動する。
【００５７】
浄水器１００によれば、流路１３０のうち、弁機構６０と弁機構７０と弁機構８０とが、それぞれ流路１３３と流路１３４との間および流路１３３と流路１３５との間と、流路１３６と流路１３７との間と、流路１３９と流路１３２との間とを開閉することにより、フィルタ槽４にて水が濾過される経路と、フィルタ槽４の濾材４３を洗浄する他の経路とが切り換えられる。また、弁機構６０，７０，８０は、使用者によって操作される切換レバー６と回転軸１０との作動に連動する。つまり、弁機構６０，７０，８０の開閉が使用者によって操作される。このように、浄水器１００では、多数の電磁弁が用いられることがない。さらに、電磁弁を制御するための制御装置が不要である。そのため、浄水器１００に係るコストを抑えることができる。また、浄水器１００の小型化が可能である。
【００５８】
したがって、本実施形態によれば、浄水を生成するときの経路と濾材を洗浄するときの経路とを切り換える複数の弁の開閉を同時に操作することができるように構成され、比較的安価であり且つ小型化が可能な浄水器１００を提供することができる。また、浄水器１００が電気を使用しないものである場合には、電源仕様に左右されない浄水器を実現することができる。
【００５９】
また、浄水器１００によれば、フィルタ槽５の濾材５３にて濾過された水を用いてフィルタ槽４を洗浄することができる。そのため、フィルタ槽４の内部をより清潔に洗浄することが可能である。
【００６０】
この発明に従った浄水器において、弁機構６０と弁機構７０と弁機構８０とは一箇所に集められている。
【００６１】
この構成によれば、弁機構６０と弁機構７０と弁機構８０とが一箇所にまとめられるように配置されていることにより、弁機構６０と弁機構７０と弁機構８０とが占める体積を小さくさせることが可能である。また、切換レバー６および回転軸１０と弁機構６０，７０，８０との連結が簡略化される。そのため、浄水器１００の小型化がさらに可能である。
【００６２】
浄水器１００では、少なくとも切換レバー６と回転軸１０とによって切換部が構成されている。切換レバー６は、浄水器１００の使用者によって操作されるものである。回転軸１０は、切換レバー６とともに回転するものである。弁機構６０は、流路１３３から弁機構６０に水を流入させる流入口１６１と、弁機構６０から流路１３４に水を流出させる流出口１６２と、弁機構６０から流路１３５に水を流出させる流出口１６３とを有している。弁機構７０は、流路１３６から弁機構７０に水を流入させる流入口１７１と、弁機構７０から流路１３７に水を流出させる流出口１７２とを有している。弁機構８０は、流路１３９から弁機構８０に水を流入させる流入口１８１と、弁機構８０から流路１３２に水を流出させる流出口１８２とを有している。
【００６３】
例えば弁機構７０は、回転軸１０に固定されたカム７７と、回転軸１０の一部とカム７７の一部とを囲むカムガイド７１と、カムガイド７１に固定され且つ流出口１７２を開閉する脚部７８と、脚部７８に取り付けられた環状部材７４とを有している。さらに、例えば弁機構７０では、切換レバー６の操作によって回転軸１０およびカム７７の回転に連動してカムガイド７１および脚部７８が移動することにより、脚部７８の環状部材７４が流出口１７２を開閉する。
【００６４】
浄水器１００によれば、回転軸１０とカム６７，７７，８７とが互いに固定されている。脚部６８１，６８２，７８，８８は、それぞれカムガイド６１１，６１２，７１，８１に固定されている。使用者によって切換レバー６が操作されることにより、回転軸１０およびカム６７，７７，８７は、切換レバー６とともに回転する。さらに、回転軸１０およびカム６７，７７，８７の回転に連動してカムガイド６１１，６１２，７１，８１および脚部６８１，６８２，７８，８８が下方から上方に向かって移動することにより、環状部材６４，６８，７４，８４がそれぞれ流出口１６２，１６３，１７２，１８２を開閉する。このように、浄水器１００では、多数の電磁弁が用いられることなく、使用者による切換レバー６の操作によって、カム６７，７７，８７が作動する。カム６７，７７，８７の作動により、弁機構６０，７０，８０が作動する。そのため、浄水器１００に係るコストを抑えることができ、且つ、浄水器１００の小型化が可能である。
【００６５】
浄水器１００において、弁機構６０は、一つの流入口１６１と、二つの流出口１６２，１６３とを有している。
【００６６】
この構成によれば、弁機構６０において、一つの流入口１６１に対して二つの流出口１６２，１６３が配置されている。この場合には、浄水器１００が流出口の数の弁機構を有している場合に比べ、弁機構６０と弁機構７０と弁機構８０との全体に係る体積を小さくすることができる。そのため、浄水器１００の小型化がさらに可能である。
【００６７】
なお、浄水器１００において、切換レバー６および回転軸１０が回転する角度は、略９０度であることに限定されない。切換レバー６および回転軸１０が回転する角度は、カムガイド６１１，６１２，７１，８１の形状と、カム６７，７７，８７の形状とに応じて適宜決定されていればよい。また、図４に示すように、回転軸１０の横断面積は一定であることに限定されない。
【００６８】
なお、浄水器１００において、弁機構６０，７０，８０は、それぞれ流出口１６２，１６３，１７２，１８２を閉口するものであったが、弁機構７０と弁機構８０とは、それぞれ流入口１７１と流入口１８１とを閉口するものであってもよい。例えば、弁機構７０において、バネ７３が付勢する方向と、カムガイド７１に対する脚部７８の位置とが調整されることにより、脚部７８に取り付けられた環状部材７４が流入口１７１を閉口することが可能である。
【００６９】
さらに、浄水器１００において、切換レバー６の形状は特に限定されない。切換レバー６は、少なくとも浄水位置と洗浄位置との間で回転することが可能であって、回転軸１０を所定の回転角度にて回転させることができるものであればよい。また、切換レバー６が浄水位置から洗浄位置に回転する方向は、反時計回りに限定されず、時計回りに回転することであってもよい。切換レバー６が浄水位置から洗浄位置に時計回りに回転することにより、フィルタ槽４にて水が濾過される経路と、フィルタ槽４の濾材４３を洗浄する経路とが切り換えられるように、流路１３０と弁機構６０，７０，８０とが接続されていてもよい。
【００７０】
浄水器１００において、弁機構６０，７０，８０は、切換レバー６の回転が回転軸１０に伝達されることによって作動するものに限定されない。弁機構６０と弁機構７０と弁機構８０とは、浄水器１００の使用者によって操作される切換レバー６の作動に連動するものであれば、他の形態のものであってもよい。
【００７１】
なお、浄水器１００は、フィルタ槽５を備えていなくてもよい。例えば図２を基に、浄水器１００がフィルタ槽５を備えていない場合のフィルタ槽４の濾材４３の洗浄について説明する。浄水器１００がフィルタ槽５を備えていない場合であってフィルタ槽４の濾材４３が洗浄されるときは、流路１３３を流れる水は、弁機構６０によって流れの方向が切り換えられることにより、流路１３４に向かって流れていてもよく、流路１３５に向かって流れていてもよい。また、浄水器１００がフィルタ槽５を備えていない場合であってフィルタ槽４の濾材４３が洗浄されるときは、流路１３３を流れる水は、図示しない他の流路を通ってノズル４１を介してフィルタ槽４の内部に流入していてもよい。図示しない他の流路は、弁機構６０とノズル４１とを接続している。
【００７２】
浄水器１００がフィルタ槽５を備えていない場合であって濾材４３が洗浄されるときに流路１３４を流れる水は、流路１３８を通らずに、つまり流路１３４から直接的にノズル４２を介してフィルタ槽４の内部に流入していてもよい。このときは、フィルタ槽４の内部を水が逆方向に流れる。
【００７３】
一方、浄水器１００がフィルタ槽５を備えていない場合であって濾材４３が洗浄されるときに流路１３５を流れる水は、フィルタ槽４の内部を順方向に流れる。さらに、濾材４３が洗浄される場合に図示しない他の流路を水が通るときには、濾材４３の洗浄に効果的な洗剤が水に混入されてもよい。図示しない他の流路を流れる水に混入された洗剤によって、より清潔に濾材４３が洗浄される。図示しない他の流路を通ってノズル４１を介してフィルタ槽４の内部に流入した洗浄水は、フィルタ槽４の内部を順方向に流れた後、弁機構７０が接続された流路を通って浄水器１００の外部に排出される。弁機構７０が接続された流路、つまり、流路１３６は、ノズル４２に接続されていてもよい。
【００７４】
また、浄水器１００がフィルタ槽５を備えていない場合であってフィルタ槽４が逆洗浄されるときにときに、流路１３４を流れる水に洗剤が混入されていてもよい。濾材４３の洗浄に効果的な洗剤は、浄水器１００がフィルタ槽５と濾材５３とを備えている場合に、流路１３０を流れる水に混入されていてもよい。
【００７５】
以上のように、浄水器１００がフィルタ槽５を備えていない場合は、浄水器１００は、フィルタ槽４と、流路１３０と、弁機構６０，７０，８０と、切換レバー６と、回転軸１０とを備えている。流路１３０は、少なくとも流路１３１と流路１３３と流路１３４と流路１３５とを有している。流路１３０は少なくともフィルタ槽４に水を流通させる。弁機構６０，７０，８０は、流路１３０のうちのフィルタ槽４にて水が濾過される経路とフィルタ槽４の内部を洗浄する他の経路とを切り換えるように開閉される。切換レバー６は、使用者によって操作され、回転軸１０を介して弁機構６０と弁機構７０と弁機構８０とを作動させる。弁機構６０と弁機構７０と弁機構８０とは、切換レバー６と回転軸１０との作動に連動する。この構成によれば、浄水器１００では、浄水器１００に係るコストを抑えることができ、且つ、浄水器１００の小型化が可能である。
【００７６】
（第２実施形態）
図１０に第２実施形態に係る浄水器２００を示す。浄水器２００が第１実施形態の浄水器１００と異なる点は、フィルタ槽４の濾材４３が後述するように順洗浄される。
【００７７】
図１０に示すように、浄水器２００では、流路２３０のうち、流路１３６の一端がフィルタ槽４のノズル４４に接続されている。また、流路１３８の一端がフィルタ槽５のノズル５２に接続され且つ流路１３８の他端がノズル４１に接続されている。
【００７８】
浄水器２００において弁機構６０と弁機構７０と弁機構８０とは、第１実施形態に係る浄水器１００と同様に、浄水が生成される場合とフィルタ槽４が洗浄される場合とに、流路２３０のうちのフィルタ槽４にて水が濾過される経路と、フィルタ槽４の濾材４３を洗浄する他の経路とを切り換える。
【００７９】
浄水器２００においてフィルタ槽４の濾材４３が洗浄される際には、フィルタ槽４にて浄水が生成されるときと同じ方向にフィルタ槽４の内部を水が流通する。濾材４３の順洗浄に用いられた水は、ノズル４４から流路１３６に流出し、さらに流路１３７を通って浄水器２００の外部に排出される。
【００８０】
第１実施形態に係る浄水器１００と同様に、浄水器２００が浄水を生成するときには、切換レバー６（図６参照）は、浄水位置を指している。一方、浄水器２００が濾材４３を洗浄するときには、切換レバー６は、洗浄位置を指している。
【００８１】
切換レバー６が浄水位置を指している場合は、弁機構６０が流路１３３と流路１３４との間を閉塞し且つ流路１３３と流路１３５との間を開放している。また、切換レバー６が浄水位置を指している場合は、弁機構７０が流路１３６と流路１３７との間を閉塞し、また弁機構８０が流路１３９と流路１３２との間を開放する。一方、切換レバー６が洗浄位置を指している場合は、弁機構６０が流路１３３と流路１３４との間を開放し且つ流路１３３と流路１３５との間を閉塞している。また、切換レバー６が洗浄位置を指している場合は、弁機構７０が流路１３６と流路１３７との間を開放し、また弁機構８０が流路１３９と流路１３２との間を閉塞する。
【００８２】
切換レバー６が洗浄位置と浄水位置との間で回転するときは、弁機構６０，７０，８０の内部では、第１実施形態に係る浄水器１００のそれぞれ弁機構６０，７０，８０の内部と同様に作動する。
【００８３】
浄水器２００のその他の構成は、第１実施形態に係る浄水器１００と同様である。浄水器２００のその他の構成についての説明は省略する。
【００８４】
（第３実施形態）
図１１に第３実施形態に係る浄水器３００を示す。浄水器３００が第１実施形態の浄水器１００と異なる点は、二方向弁である弁機構７０，８０（図１参照）の代わりに、三方向弁である弁機構３７０，３８０が用いられている。
【００８５】
浄水器３００では、流路３３０のうちの流路１３４の一端と流路３３５の一端とが弁機構６０に接続されている。流路３３５の他端は、弁機構３７０に接続されている。流路３３５には、逆止弁９１が配置されている。
【００８６】
また、弁機構３７０には流路３３６の一端と流路１３７の一端とが接続されている。一方、フィルタ槽４とフィルタ槽５との間を流れる水は、流路３３８と流路３３９とを流通する。流路３３８の一端は、フィルタ槽５のノズル５２に接続されている。流路３３８の他端は弁機構３８０に接続されている。流路３３８には、逆止弁９２が配置されている。また、フィルタ槽４のノズル４２には、流路３３９の一端が接続されている。流路３３９の他端は弁機構３８０に接続されている。また、弁機構３８０には流路１３２の一端が接続されている。流路１３２の他端は分岐水栓２に接続されている。
【００８７】
浄水器３００において浄水が生成される場合に、流路３３５から弁機構３７０に水が流入するときの弁機構３７０の開口（図示せず）は、流入口として機能する。また、浄水器３００において浄水が生成される場合に、弁機構３７０から流路３３６に水が流出するときの弁機構３７０の開口（図示せず）は、流出口として機能する。一方、浄水器３００において濾材４３が洗浄される場合に、流路３３６から弁機構３７０に水が流入するときの弁機構３７０の開口（図示せず）は、流入口として機能する。また、浄水器３００において濾材４３が洗浄される場合に、弁機構３７０から流路１３７に水が流出するときの弁機構３７０の開口（図示せず）は、流出口として機能する。なお、浄水器３００において、浄水が生成される場合に弁機構３７０から流路３３６に水が流出するときの弁機構３７０の流出口は、濾材４３が洗浄される場合に流路３３６から弁機構３７０に水が流入するときの弁機構３７０の流入口を兼ねている。このように、浄水器３００において、弁機構３７０は、一つの流入口と、二つの流出口とを有している。
【００８８】
また、浄水器３００において浄水が生成される場合に、流路３３９から弁機構３８０に水が流入するときの弁機構３８０の開口（図示せず）は、流入口として機能する。また、浄水器３００において浄水が生成される場合に、弁機構３８０から流路１３２に水が流出するときの弁機構３８０の開口（図示せず）は、流出口として機能する。一方、浄水器３００において濾材４３が洗浄される場合に、流路３３８から弁機構３８０に水が流入するときの弁機構３８０の開口（図示せず）は、流入口として機能する。また、浄水器３００において濾材４３が洗浄される場合に、弁機構３８０から流路３３９に水が流出するときの弁機構３８０の開口（図示せず）は、流出口として機能する。なお、浄水器３００において、浄水が生成される場合に流路３３９から弁機構３８０に水が流入するときの弁機構３８０の流入口は、濾材４３が洗浄される場合に弁機構３８０から流路３３９に水が流出するときの弁機構３８０の流出口を兼ねている。このように、浄水器３００において、弁機構３８０は、一つの流入口と、二つの流出口とを有している。
【００８９】
浄水器３００において浄水が生成される場合は、弁機構６０が流路１３３と流路３３５との間を開放し且つ流路１３３と流路１３４との間を閉塞する。また、弁機構３７０が流路３３５と流路３３６との間を開放し且つ流路３３５または流路３３６と流路１３７との間を閉塞している。さらに、弁機構３８０が流路３３８と流路３３９または流路１３２との間を閉塞し且つ流路３３９と流路１３２との間を開放している。尚、浄水器３００は弁機構６０を備えていなくてもよい。浄水器３００が弁機構６０を備えていない場合でも、浄水器３００において浄水が生成されるときに、弁機構３８０が流路３３８と流路３３９または流路１３２との間を閉塞していることにより、流路１３３から流路１３４に水が流れず、流路１３３から流路３３５に水が流れる。
【００９０】
一方、浄水器３００においてフィルタ槽４が洗浄される場合は、弁機構６０が流路１３３と流路１３４との間を開放し且つ流路１３３と流路３３５との間を閉塞する。また、弁機構３７０が流路３３５と流路３３６または流路１３７との間を閉塞し且つ流路３３６と流路１３７との間を開放している。さらに、弁機構３８０が流路３３８と流路３３９との間を開放し且つ流路３３９または流路３３８と流路１３２との間を閉塞している。尚、上記のように浄水器３００が弁機構６０を備えていない場合でも、浄水器３００においてフィルタ槽４が洗浄されるときに、弁機構３７０が流路３３５と流路３３６または流路１３７との間を閉塞していることにより、流路１３３から流路３３５に水が流れず、流路１３３から流路１３４に水が流れる。
【００９１】
このようにして、弁機構６０と弁機構３７０と弁機構３８０とは、流路３３０のうちのフィルタ槽４にて水が濾過される経路と、フィルタ槽４の濾材４３を洗浄する他の経路とを切り換える。尚、弁機構６０は省略することもできる。
【００９２】
浄水器３００においてフィルタ槽４の濾材４３が洗浄される際には、第１実施形態に係る浄水器１００と同様にフィルタ槽４にて浄水が生成されるときと逆方向にフィルタ槽４の内部を水が流通する。濾材４３の逆洗浄に用いられた水は、ノズル４１から流路３３６に流出し、さらに流路１３７を通って浄水器３００の外部に排出される。
【００９３】
図示は省略するが、浄水器３００では、弁機構６０と弁機構３７０と弁機構３８０とがケース（図示せず）の内部にて一箇所に集められている。第１実施形態に係る浄水器１００と同様に、流路３３０のうちの少なくとも流路１３１の一部と流路１３２の一部とを除いた部分と、弁機構６０と弁機構３７０と弁機構３８０とは、浄水器３００の外郭の一部を形成するケースに収容されている。切換レバー６（図４参照）は、使用者が切換レバー６を操作することができるように、ケースの外方に配置されている。切換レバー６は、回転軸１０（図４参照）に連結されている。使用者によって切換レバー６が操作されることにより、回転軸１０の回転に連動して弁機構６０と弁機構３７０と弁機構３８０とが作動する。
【００９４】
第１実施形態に係る浄水器１００と同様に、浄水器３００が浄水を生成するときには、切換レバー６（図６参照）は、浄水位置を指している。一方、浄水器３００が濾材４３を洗浄するときには、切換レバー６は、洗浄位置を指している。
【００９５】
図示は省略するが、切換レバー６が洗浄位置と浄水位置との間で回転するときは、弁機構６０，３７０，３８０の内部は、第１実施形態に係る浄水器１００の弁機構６０の内部のように作動する。
【００９６】
浄水器３００の構成によれば、弁機構６０と弁機構３７０と弁機構３８０とにおいて、一つの流入口に対して二つの流出口が配置されている。この場合には、浄水器３００が流出口の数の弁機構を有している場合に比べ、弁機構６０と弁機構３７０と弁機構３８０との全体に係る体積を小さくすることができる。そのため、浄水器３００の小型化がさらに可能である。また、流路３３０を形成するホースやノズル等の環状部材を削減することが可能である。
【００９７】
以上のように、浄水器３００によれば、弁機構６０と弁機構３７０と弁機構３８０とにより、フィルタ槽４にて水が濾過される経路と、フィルタ槽４の濾材４３を洗浄する他の経路とが切り換えられる。また、弁機構６０，３７０，３８０は、使用者によって操作される切換レバー６と回転軸１０との作動に連動する。このように、浄水器３００では、多数の電磁弁が用いられることがない。さらに、電磁弁を制御するための制御装置が不要である。そのため、浄水器３００に係るコストを抑えることができる。また、浄水器３００の小型化が可能である。
【００９８】
尚、第３実施形態に係る浄水器３００の変形例として、浄水器３００は、上述したように弁機構６０を備えていないものであってもよい。浄水器３００が弁機構６０を備えていない場合には、浄水器３００をさらに小型化することが可能である。
【００９９】
（第４実施形態）
図１２に第４実施形態に係る浄水器４００を示す。浄水器４００が第１実施形態の浄水器１００と異なる点は、浄水器４００が、フィルタ槽４の濾材４３の洗浄に用いられる他のフィルタ槽を備えておらず、浄水を溜めるタンク４１０を備えている。
【０１００】
浄水器４００では、流路４３０のうち、流路４３３の一端が活性炭フィルタ槽３の流出ノズル３２に接続され、他端がフィルタ槽４のノズル４１に接続されている。流路４３３には、逆止弁４９１が配置されている。また、フィルタ槽４のノズル４２には、流路１３９の一端と流路４３６の一端とが接続されている。流路４３６の他端は弁機構４９０に接続されている。また、弁機構４９０には、流路４３８の一端が接続されている。流路４３８の他端はタンク４１０に接続されている。
【０１０１】
弁機構７０と弁機構８０とは、浄水器４００において浄水が生成される場合とフィルタ槽４が洗浄される場合とに、第１実施形態に係る浄水器１００と同様に、流路４３０のうちのフィルタ槽４にて水が濾過される経路とフィルタ槽４の濾材４３を洗浄する他の経路とを切り換えるように、流路１３６と流路１３７との間と流路１３９と流路１３２との間とをそれぞれ開閉する。
【０１０２】
また、浄水器４００において浄水が生成される場合は、弁機構４９０は、流路４３６と流路４３８との間を開放する。濾材４３によって濾過された浄水の一部は、流路４３６と流路４３８とを通ってタンク４１０に溜められる。濾材４３によって濾過された浄水の他の一部は、流路１３９と流路１３２とを通って浄水器４００の外部に供給される。タンク４１０が満杯の状態になれば、弁機構４９０が流路４３６と流路４３８との間を開放したままでも、浄水は流路１３９と流路１３２とを通って浄水器４００の外部に供給される。
【０１０３】
浄水器４００においてフィルタ槽４が逆洗浄される場合は、弁機構４９０は、流路４３６と流路４３８との間を開放する。一方、浄水器４００においてフィルタ槽４が順洗浄される場合は、弁機構４９０は、流路４３６と流路４３８との間を閉塞する。このようにして、弁機構７０と弁機構８０と弁機構４９０とは、流路４３０のうちのフィルタ槽４にて水が濾過される経路と、フィルタ槽４の濾材４３を洗浄する他の経路とを切り換える。
【０１０４】
浄水器４００において浄水が生成される場合に、流路４３６から弁機構４９０に水が流入するときの弁機構４９０の開口（図示せず）は、流入口として機能する。また、浄水器４００において浄水が生成される場合に、弁機構４９０から流路４３８に水が流出するときの弁機構４９０の開口（図示せず）は、流出口として機能する。一方、浄水器４００において濾材４３が逆洗浄される場合に、流路４３８から弁機構４９０に水が流入するときの弁機構４９０の開口（図示せず）は、流入口として機能する。浄水器４００において濾材４３が逆洗浄される場合に、弁機構４９０から流路４３６に水が流出するときの弁機構４９０の開口（図示せず）は、流出口として機能する。
【０１０５】
浄水器４００においてフィルタ槽４が洗浄される場合は、原水の供給が停止されていてもタンク４１０の浄水を利用することができる。タンク４１０の浄水は、ポンプ４２０の作動によってフィルタ槽４に送水される。浄水器４００においてフィルタ槽４が逆洗浄される場合は、タンク４１０の浄水が流路４３８と流路４３６とを通ってノズル４２を介してフィルタ槽４の内部に流入する。濾材４３の逆洗浄に用いられた水は、ノズル４１から流路１３６に流出し、さらに流路１３７を通って浄水器４００の外部に排出される。
【０１０６】
浄水器４００においてフィルタ槽４が順洗浄される場合は、タンク４１０の浄水が流路４３４を通ってノズル４１を介してフィルタ槽４の内部に流入する。濾材４３の順洗浄に用いられた水は、ノズル４４から流路４３５を介して流路１３６に流出し、さらに流路１３７を通って浄水器４００の外部に排出される。流路４３５はノズル４４と流路１３６とを接続している。
【０１０７】
図示は省略するが、浄水器４００では、弁機構７０と弁機構８０と弁機構４９０とがケース（図示せず）の内部にて一箇所に集められている。第１実施形態に係る浄水器１００と同様に、流路４３０のうちの少なくとも流路１３１の一部と流路１３２の一部とを除いた部分と、弁機構７０と弁機構８０と弁機構４９０とは、浄水器４００の外郭の一部を形成するケースに収容されている。切換レバー６（図４参照）は、使用者が切換レバー６を操作することができるように、ケースの外方に配置されている。切換レバー６は、回転軸１０（図４参照）に連結されている。使用者によって切換レバー６が操作されることにより、回転軸１０の回転に連動して弁機構７０と弁機構８０と弁機構４９０とが作動する。
【０１０８】
第１実施形態に係る浄水器１００と同様に、浄水器４００が浄水を生成するときには、切換レバー６（図６参照）は、浄水位置を指している。一方、浄水器４００が濾材４３を洗浄するときには、切換レバー６は、洗浄位置を指している。
【０１０９】
図示は省略するが、切換レバー６が洗浄位置と浄水位置との間で回転するときは、弁機構７０，８０の内部は、第１実施形態に係る浄水器１００の弁機構７０，８０の内部と同様に作動する。また、切換レバー６が洗浄位置と浄水位置との間で回転するときは、弁機構４９０の内部は、第１実施形態に係る浄水器１００の弁機構７０または弁機構８０の内部のように作動する。
【０１１０】
以上のように、浄水器４００によれば、弁機構４９０は流路４３０のうちの流路４３６と流路４３８との間を開閉し、弁機構７０は流路１３６と流路１３７との間を開閉し、弁機構８０は流路１３９と流路１３２との間を開閉する。このように、弁機構４９０と弁機構７０と弁機構８０とにより、浄水器４００においてフィルタ槽４にて水が濾過される経路とフィルタ槽４の濾材４３を洗浄する他の経路とが切り換えられる。また、弁機構７０，８０，４９０は、使用者によって操作される切換レバー６と回転軸１０との作動に連動する。このように、浄水器４００では、多数の電磁弁が用いられることがない。さらに、電磁弁を制御するための制御装置が不要である。そのため、浄水器４００に係るコストを抑えることができる。また、浄水器４００の小型化が可能である。
【０１１１】
なお、浄水器４００では、弁機構７０の代わりに三方向弁が用いられることにより、流路４３５と流路１３６と流路１３７とが当該三方向弁の弁機構に接続されていてもよい。
【０１１２】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【０１１３】
４：フィルタ槽、５：フィルタ槽、６：切換レバー、１０：回転軸、６０：弁機構、７０：弁機構、８０：弁機構、１００：浄水器、１３０：流路、１６１：流入口、１６２，１６３：流出口、６１１，６１２：カムガイド、６４，６８：環状部材、６７：カム、６８１，６８２：脚部
【図１】
2012176352.tif 000003
【図２】
2012176352.tif 000004
【図３】
2012176352.tif 000005
【図４】
2012176352.tif 000006
【図５】
2012176352.tif 000007
【図６】
2012176352.tif 000008
【図７】
2012176352.tif 000009
【図８】
2012176352.tif 000010
【図９】
2012176352.tif 000011
【図１０】
2012176352.tif 000012
【図１１】
2012176352.tif 000013
【図１２】
2012176352.tif 000014
【手続補正書】
【提出日】平成24年2月7日(2012.2.7)
【手続補正１】
【補正対象書類名】図面
【補正対象項目名】図５
【補正方法】変更
【補正の内容】
【図５】
2012176352.tif 000015
【手続補正書】
【提出日】平成24年6月12日(2012.6.12)
【手続補正１】
【補正対象書類名】特許請求の範囲
【補正対象項目名】全文
【補正方法】変更
【補正の内容】
【特許請求の範囲】
【請求項１】
フィルタ槽と、
少なくとも前記フィルタ槽に水を流通させる流路と、
前記流路のうちの前記フィルタ槽にて水が濾過される経路と前記フィルタ槽の内部を洗浄する他の経路とを切り換えるように開閉される複数の弁機構と、
当該浄水器の使用者によって操作され、前記複数の弁機構を作動させる切換部と、を備え、
前記複数の弁機構は、前記流路のうちの前記フィルタ槽にて水が濾過される経路において、前記フィルタ槽の一方端に接続された第１の三方向弁と、前記フィルタ槽の他方端に接続され且つ前記フィルタ槽の内部を洗浄する水を前記他の流路に流通させる第２の三方向弁とを有し、
前記第１の三方向弁は、前記フィルタ槽にて濾過される前の水を前記フィルタ槽の前記一方端に流通させるか、あるいは、前記フィルタ槽の前記一方端から流出する前記フィルタ槽の内部を洗浄した排水を外部に流出させるかを切り換え、
前記第２の三方向弁は、前記フィルタ槽の内部を洗浄する前の水を前記フィルタ槽の前記他方端に流通させるか、あるいは、前記フィルタ槽の前記他方端から流出する前記フィルタ槽にて濾過された浄水を外部に流出させるかを切り換え、
前記各弁機構は前記切換部の作動に連動する、浄水器。
【請求項２】
前記フィルタ槽を洗浄する際に、前記流路のうちの前記他の経路を流れる水を濾過する他のフィルタ槽をさらに備えた、
請求項１に記載の浄水器。
【請求項３】
前記複数の弁機構は一箇所に集められている、
請求項１または請求項２に記載の浄水器。
【請求項４】
前記切換部は、当該浄水器の使用者によって操作される操作部と、前記操作部とともに回転する回転軸と、を有し、
前記各弁機構は、前記流路から前記各弁機構に水を流入させる流入口と、前記各弁機構から前記流路に水を流出させる流出口と、前記回転軸に固定されたカムと、前記回転軸の一部と前記カムの一部とを囲むカムガイドと、前記カムガイドに固定され且つ前記流入口もしくは前記流出口を開閉する閉塞部と、を有し、
前記操作部の操作によって前記回転軸および前記カムの回転に連動して前記カムガイドおよび前記閉塞部が移動することにより、前記閉塞部が前記流入口もしくは前記流出口を開閉する、
請求項１から請求項３までのいずれか１項に記載の浄水器。
【請求項５】
前記複数の弁機構のうちの少なくとも一つは、一つの前記流入口と複数の前記流出口とを有している、
請求項４に記載の浄水器。
【手続補正２】
【補正対象書類名】明細書
【補正対象項目名】００１０
【補正方法】変更
【補正の内容】
【００１０】
この発明は、フィルタ槽と、流路と、複数の弁機構と、切換部とを備えた浄水器である。流路は、少なくともフィルタ槽に水を流通させる。複数の弁機構は、流路のうちのフィルタ槽にて水が濾過される経路とフィルタ槽の内部を洗浄する他の経路とを切り換えるように開閉される。複数の弁機構は、流路のうちのフィルタ槽にて水が濾過される経路において、フィルタ槽の一方端に接続された第１の三方向弁と、フィルタ槽の他方端に接続され且つフィルタ槽の内部を洗浄する水を他の流路に流通させる第２の三方向弁とを有している。第１の三方向弁は、フィルタ槽にて濾過される前の水をフィルタ槽の一方端に流通させるか、あるいは、フィルタ槽の一方端から流出するフィルタ槽の内部を洗浄した排水を外部に流出させるかを切り換える。第２の三方向弁は、フィルタ槽の内部を洗浄する前の水をフィルタ槽の他方端に流通させるか、あるいは、フィルタ槽の他方端から流出するフィルタ槽にて濾過された浄水を外部に流出させるかを切り換える。切換部は、当該浄水器の使用者によって操作され、複数の弁機構を作動させる。各弁機構は、切換部の作動に連動する。
【手続補正３】
【補正対象書類名】明細書
【補正対象項目名】００１１
【補正方法】変更
【補正の内容】
【００１１】
この発明によれば、複数の弁機構が流路の水の流れを開閉することにより、流路のうちのフィルタ槽にて水が濾過される経路と、フィルタ槽の内部を洗浄する他の経路とが切り換えられる。また、各弁機構は、切換部の作動に連動する。切換部は、使用者によって操作される。つまり、各弁機構の開閉が使用者によって操作される。このように、この発明に従った浄水器では、多数の電磁弁が用いられることがない。さらに、電磁弁を制御するための制御装置が不要である。そのため、この発明に従った浄水器に係るコストを抑えることができる。また、当該浄水器の小型化が可能である。したがって、この発明によれば、浄水を生成するときの経路と濾材を洗浄するときの経路とを切り換える複数の弁の開閉を同時に操作することができるように構成され、比較的安価であり且つ小型化が可能な浄水器を提供することができる。また、当該浄水器が電気を使用しないものである場合には、電源仕様に左右されない浄水器を実現することができる。
【手続補正４】
【補正対象書類名】明細書
【補正対象項目名】００１２
【補正方法】変更
【補正の内容】
【００１２】
この発明に従った浄水器は、他のフィルタ槽をさらに備えていることが好ましい。他のフィルタ槽は、フィルタ槽を洗浄する際に、他の経路を流れる水を濾過するものであることが好ましい。
【手続補正５】
【補正対象書類名】明細書
【補正対象項目名】００１３
【補正方法】変更
【補正の内容】
【００１３】
この構成によれば、他のフィルタ槽にて濾過された水を用いてフィルタ槽を洗浄することができる。そのため、フィルタ槽の内部をより清潔に洗浄することが可能である。
【手続補正６】
【補正対象書類名】明細書
【補正対象項目名】００１６
【補正方法】変更
【補正の内容】
【００１６】
この発明に従った浄水器では、切換部は操作部と回転軸とを有していることが好ましい。操作部は、当該浄水器の使用者によって操作されるものである。回転軸は、操作部とともに回転するものであることが好ましい。各弁機構は、流路から各弁機構に水を流入させる流入口と、各弁機構から流路に水を流出させる流出口とを有していることが好ましい。また、各弁機構は、回転軸に固定されたカムと、回転軸の一部とカムの一部とを囲むカムガイドと、カムガイドに固定され且つ流入口もしくは流出口を開閉する閉塞部とを有していることが好ましい。さらに、この発明に従った浄水器では、操作部の操作によって回転軸およびカムの回転に連動してカムガイドおよび閉塞部が移動することにより、閉塞部が流入口もしくは流出口を開閉することが好ましい。
【手続補正７】
【補正対象書類名】明細書
【補正対象項目名】００９６
【補正方法】変更
【補正の内容】
【００９６】
浄水器３００の構成によれば、弁機構６０と弁機構３７０と弁機構３８０とにおいて、一つの流入口に対して二つの流出口が配置されている。この場合には、浄水器３００が流出口の数の弁機構を有している場合に比べ、弁機構６０と弁機構３７０と弁機構３８０との全体に係る体積を小さくすることができる。そのため、浄水器３００の小型化がさらに可能である。また、流路３３０を形成するホースやノズル等の管状部材を削減することが可能である。